(57)【要約】【課題】  ユーザが電子ペーパに所望の画像を表示させる際に、確実に広告情報を表示させることができる情報表示システムを提供する。【解決手段】  電子ペーパ２４とデジタル複合機２２とを含む情報表示システム２０において、デジタル複合機２２は、画像データを電子ペーパ２４に対して送信するＵＳＢ  Ｉ／Ｆ６２と、画像データに広告データを付加して広告データ付の画像データを作成するデータ付加機能を実現するＣＰＵと、広告データ付の画像データを、予め定められる暗号化プログラムに基づいて暗号化処理する暗号化復号化部９２とを備え、電子ペーパ２４は、デジタル複合機２２から送信される画像データを受信するＵＳＢ  Ｉ／Ｆと、受信した全ての画像データを、暗号化プログラムに対応する復号化プログラムに基づいて復号化処理する復号化部と、復号化処理済みの画像データの画像を表示する表示部１０６とを備えるようにする。【選択図】      図１
2009222776.tif 000002
【特許請求の範囲】
【請求項１】
表示装置と、前記表示装置に接続される情報処理装置とを含む情報表示システムにおいて、
前記情報処理装置は、
前記表示装置に表示させるための画像データを、前記表示装置に対して送信する送信手段と、
前記画像データに、広告データを付加して広告データ付の画像データを作成する第１データ付加手段と、
前記広告データ付の画像データを、予め定められる暗号化アルゴリズムに基づいて暗号化処理する暗号化手段とを備え、
前記表示装置は、
前記情報処理装置から送信される前記画像データを受信する受信手段と、
受信した全ての前記画像データを、前記暗号化アルゴリズムに対応する復号化アルゴリズムに基づいて復号化処理する復号化手段と、
前記復号化処理済みの前記画像データの画像を表示する表示手段とを備えることを特徴とする情報表示システム。
【請求項２】
前記情報処理装置は、
前記表示装置に対応する第１認証データを予め記憶する記憶手段と、
前記暗号化処理がなされる前の前記画像データに、前記第１認証データを付加する第２データ付加手段とを更に備え、
前記表示装置は、
前記復号化処理済みの前記画像データに付加されている前記第１認証データに基づいて、前記画像データが適正であるか否かを判定する判定手段を更に備え、
前記表示手段は、前記判定手段によって、適正であると判定された前記復号化処理済みの前記画像データの画像を表示することを特徴とする請求項１に記載の情報表示システム。
【請求項３】
前記判定手段は、前記復号化処理済みの前記画像データに付加されている前記第１認証データと、前記表示装置が固有に有する第２認証データとが一致する場合に、前記復号化処理済みの前記画像データが適正であると判定することを特徴とする請求項２に記載の情報表示システム。
【請求項４】
前記第２データ付加手段は、前記暗号化処理がなされる前の前記画像データに、日時情報及びページ番号情報を含むシリアル番号を更に付加することを特徴とする請求項２又は請求項３に記載の情報表示システム。
【請求項５】
前記表示装置は、前記判定手段によって、適正であると判定された前記復号化処理済みの前記画像データ以外の画像データに対する処理を禁止する禁止手段を更に備えることを特徴とする請求項２〜請求項４のいずれか１つに記載の情報表示システム。
【請求項６】
前記禁止手段は、前記判定手段によって、適正であると判定された前記復号化処理済みの前記画像データ以外の画像データの記憶処理を禁止することを特徴とする請求項５に記載の情報表示システム。
【請求項７】
前記暗号化手段は、前記広告データ付の前記画像データを暗号化処理するとともに、ハッシュ値を付加することを特徴とする請求項１〜請求項６のいずれか１つに記載の情報表示システム。
【発明の詳細な説明】
【技術分野】
【０００１】
本発明は、データ通信可能に接続される表示装置と情報処理装置とを含む情報表示システムに関し、特には、表示装置に確実に広告情報を表示させることができる情報表示システムに関する。
【背景技術】
【０００２】
近年、種々の表示装置に関する研究開発が盛んに行われているが、その一つとして、例えばマイクロカプセル型電気泳動方式等の電子ペーパが実用段階にまで開発されている。このような電子ペーパは、外部装置から送信される画像データの画像を表示可能な表示装置であり、携帯性や視認性に優れる紙の特性と、表示内容を繰返し書換えることができるというディスプレイの特性とを兼ね備えている。また、一旦文字等の情報が書込まれた後は電源電力の供給なしにその情報の表示を維持可能であり、更に、構造が簡単であるため比較的安価に提供可能であることから、ポスター等の掲示物を電子ペーパによって構成することで、掲示物としての視覚的な効果及び省電力化による環境への配慮等を格段に向上できる掲示物を実現可能である。
【０００３】
このような電子ペーパは、広告情報を表示する表示装置として最適であり、電子ペーパに対して確実にかつ安定して画像データを送信し、電子ペーパ本来の特性を損なうことなく画像データの画像を表示可能な情報表示システムの提供が望まれている。
【０００４】
たとえば、特許文献１に開示される電力情報伝送システムにおいては、表示装置が表示情報を受信することが可能な状態にあることが検出されたときに、情報送受信装置は、当該表示装置に対して電磁誘導作用により非接触に電源電力を供給するとともに、当該電源電力の供給開始後において赤外線等の無線により表示情報を送信することで、表示装置に対して効率かつ安全に、表示内容の書換えに要する電源電力の供給を防止しつつ表示情報を送信可能にしている。
【特許文献１】特開２００７−１８５０１７号公報
【発明の開示】
【発明が解決しようとする課題】
【０００５】
電子ペーパを用いた情報表示システムを利用することによって電子ペーパに所望の広告情報を表示し、ユーザにメーカ側からの広告情報を提供する広告ビジネスが考えられる。しかし、特許文献１に開示されるような従来の情報表示システムにおいては、メーカ側からの広告情報を確実に表示することはできない。
【０００６】
本発明は、上述のような問題に鑑みてなされたものであり、その目的は、ユーザが電子ペーパに所望の画像を表示させる際に、確実に広告情報を表示させることができる情報表示システムを提供することである。
【課題を解決するための手段】
【０００７】
本発明の第１の局面に係る情報表示システムは、表示装置と、表示装置に接続される情報処理装置とを含む情報表示システムであって、情報処理装置は、表示装置に表示させるための画像データを表示装置に対して送信する送信手段と、画像データに、広告データを付加して広告データ付の画像データを作成する第１データ付加手段と、広告データ付の画像データを、予め定められる暗号化アルゴリズムに基づいて暗号化処理する暗号化手段とを備える。そして、表示装置は、情報処理装置から送信される画像データを受信する受信手段と、受信した全ての画像データを、暗号化アルゴリズムに対応する復号化アルゴリズムに基づいて復号化処理する復号化手段と、復号化処理済みの画像データの画像を表示する表示手段とを備える。
【０００８】
このように、表示装置は、受信した全ての画像データに対して復号化処理を行なうので、復号化手段によって使用される復号化アルゴリズムに対応する暗号化アルゴリズムによる暗号化処理（以下、「正しい暗号化処理」と記す。）がなされていない画像データは破壊されてしまう。これに対し、予め正しい暗号化処理がなされた画像データの画像は表示手段に表示される。これにより、ユーザが表示手段に所望の画像を表示させる際には、正しい暗号化処理を行なうことのできる情報処理装置を使用する必要があり、このような情報処理装置は、予め広告データ付の画像データのみを暗号化処理するように設定されているので、必ず所望の画像とともに広告情報を表示させることができる。
【０００９】
好ましくは、情報処理装置は、表示装置に対応する第１認証データを予め記憶する記憶手段と、暗号化処理がなされる前の画像データに、第１認証データを付加する第２データ付加手段とを更に備える。そして、表示装置は、復号化処理済みの画像データに付加されている第１認証データに基づいて、画像データが適正であるか否かを判定する判定手段を更に備え、表示手段は、判定手段によって、適正であると判定された復号化処理済みの画像データの画像を表示する。
【００１０】
これによって、第１認証データに基づいて適正であると判定された画像データのみが表示されるようになるので、正しい暗号化処理を行なうことができても、正しい認証データを付加することができない情報処理装置から送信される画像データが表示手段に誤って表示されてしまうことを防止できる。したがって、ユーザが表示装置に画像を表示させる際には、正しい暗号化処理を行なうことができ、かつ正しい認証データを付加することのできる情報処理装置を使用する必要があり、より確実に所望の画像とともに広告情報を表示させることができる。
【００１１】
更に好ましくは、判定手段は、復号化処理済みの画像データに付加されている第１認証データと、表示装置が固有に有する第２認証データとが一致する場合に、復号化処理済みの画像データが適正であると判定する。これにより、第１認証データと一致する第２認証データを有している表示装置のみが画像データの画像を表示できるようになるので、第１認証データと一致する第２認証データを有しない他の表示装置が所望の画像を誤って表示してしまうことを防ぐことができる。したがって、ユーザにとって秘匿性のある情報が第三者に漏洩してしまうことを防止できる。
【００１２】
更に好ましくは、第２データ付加手段は、暗号化処理がなされる前の画像データに、日時情報及びページ番号情報を含むシリアル番号を更に付加する。このような情報を含むシリアル番号が付加されることによって、画像データを効率的に管理できるようになるので、より正確に画像データの表示を行なうことができるようになる。
【００１３】
更に好ましくは、表示装置は、判定手段によって、適正であると判定された復号化処理済みの画像データ以外の画像データに対する処理を禁止する禁止手段を更に備え、更に好ましくは、この禁止手段は、判定手段によって、適正であると判定された復号化処理済みの画像データ以外の画像データの記憶処理を禁止する。
【００１４】
これにより、表示手段に表示されない画像データに対して、例えば画像処理、暗号化処理又は記憶処理等の処理が施されることを防ぐことができるので、これらの処理にかかる電力が無駄に消費されたり、無駄な構成が設けられたりすることを防止できる。
【００１５】
更に好ましくは、暗号化手段は、広告データ付の画像データを暗号化処理するとともに、ハッシュ値を付加する。これにより、表示装置は、受信した画像データに付加されるハッシュ値を確認することで画像データが送信途中で改ざんされていないかを確認することができる。したがって、悪意ある者によって改ざんされた可能性のある画像データが表示手段に表示される、又は、表示装置外部に復号化されて出力されることを防ぐことができる。
【発明の効果】
【００１６】
本発明によれば、表示装置の復号化手段が、受信した全ての画像データに対して復号化処理を行なうので、復号化手段によって使用される復号化アルゴリズムに対応する暗号化アルゴリズムによる暗号化処理がなされた画像データの画像のみが表示装置の表示手段に表示される。したがって、ユーザが表示手段に所望の画像を表示させる際には、正しい暗号化処理を行なうことのできる情報処理装置を使用する必要があり、このような情報処理装置は、予め広告データ付の画像データのみを暗号化処理するように設定されているので、必ず所望の画像とともに広告情報を表示させることができる。
【発明を実施するための最良の形態】
【００１７】
以下、図面を参照しつつ本発明の実施の形態について説明する。以下の説明及び図面においては、同一の部品には同じ参照符号及び名称を付してある。それらの機能も同様である。したがって、それらについての詳細な説明をその都度繰返すことはしない。
【００１８】
図１は、本発明の一実施の形態に係る情報表示システム２０の構成を模式的に示す図である。図１において、細い実線矢印はシグナルラインを示し、白抜き矢印はデータラインを示す。図１を参照して、情報表示システム２０は、ＵＳＢケーブルを介して互いに接続され、画像データを含む各種データを相互に送受信可能なデジタル複合機２２と電子ペーパ２４とを含む。この情報表示システム２０において、デジタル複合機２２から電子ペーパ２４に画像データが送信されると、電子ペーパ２４は、デジタル複合機２２から受信した画像データの画像を表示部１０６に表示する。本実施の形態において、画像データとは、画像データのみに限定されるものではなく、例えば、文書データ、並びに、画像データ及び文書データを含むデータ等をも含む。また、電子ペーパ２４は、情報表示システム２０を利用することによって電子ペーパ２４に所望の広告情報を表示し、ユーザにメーカ側からの広告情報を提供する広告ビジネスを展開するために、メーカによってユーザに安価に提供されたものである。
【００１９】
デジタル複合機２２は、電話回線網２６及びネットワーク２８に接続され、更にネットワーク２８を介してインターネット３０に接続されて使用される。電話回線網２６にはファクシミリ装置（以下、「ＦＡＸ」と記す。）３２が接続され、インターネット３０にはＦＡＸ３４及びＰＣ（Ｐｅｒｓｏｎａｌ  Ｃｏｍｐｕｔｅｒ）等の端末装置３６が接続され、ネットワーク２８には端末装置３８，４０が接続される。デジタル複合機２２は、ＦＡＸ３２，３４とファクシミリ通信が可能であり、また、端末装置３６，３８，４０と電子メール等を利用した画像データを含む各種データの送受信が可能である。
【００２０】
〈ハードウェア構成〉
［デジタル複合機２２］
図２は、デジタル複合機２２の構成を示すブロック図である。図１及び図２を参照して、デジタル複合機２２は、例えば、スキャナ機能、コピー機能、ファクシミリ機能及びプリンタ機能等を備えたＭＦＰ（Ｍｕｌｔｉｆｕｎｃｔｉｏｎ  Ｐｒｉｎｔｅｒ）であって、機器制御部５０、ＨＤＤ（Ｈａｒｄ  Ｄｉｓｋ  Ｄｒｉｖｅ）５２、消去部５３、操作部５４、画像読取部５６、画像処理部５８、画像形成部６０、ＵＳＢ（Ｕｎｉｖｅｒｓａｌ  Ｓｅｒｉａｌ  Ｂｕｓ）インターフェース（ＵＳＢ  Ｉ／Ｆ）６２、ＦＡＸモデム６４及びＬＡＮ（Ｌｏｃａｌ  ａｒｅａ  Ｎｅｔｗｏｒｋ）インターフェース（ＬＡＮ  Ｉ／Ｆ）６６を含む。
【００２１】
機器制御部５０は、実質的にコンピュータであって、ＣＰＵ（Ｃｅｎｔｒａｌ  Ｐｒｏｃｅｓｓｉｎｇ  Ｕｎｉｔ）７０、並びに、デジタル複合機２２の制御情報及び各種設定情報等を記憶する管理部７１として機能するＲＯＭ（Ｒｅａｄ−Ｏｎｌｙ  Ｍｅｍｏｒｙ）７２及び第１ＲＡＭ（Ｒａｎｄｏｍ  Ａｃｃｅｓｓ  Ｍｅｍｏｒｙ）７４を含む。ＣＰＵ７０には、ＢＵＳライン７６が接続されており、このＢＵＳライン７６には、ＲＯＭ７２及び第１ＲＡＭ７４が電気的に接続される。ＣＰＵ７０は、操作部５４等からの指示に応じて各種コンピュータプログラムを実行することによって、デジタル複合機２２の各構成部の動作及び電子ペーパ２４等の外部機器との通信等の所望の処理を実行する。上記の各種コンピュータプログラムは、予めＲＯＭ７２に記憶されており、所望の処理の実行時において、当該ＲＯＭ７２から読出されて第１ＲＡＭ７４に転送される。ＣＰＵ７０は、ＣＰＵ７０内の図示しないプログラムカウンタと呼ばれるレジスタに格納された値によって指定される、第１ＲＡＭ７４内のアドレスからプログラムの命令を読出し、解釈する。ＣＰＵ７０はまた、読出された命令によって指定されるアドレスから演算に必要なデータを読出し、そのデータに対し命令に対応する演算を実行する。実行の結果も、第１ＲＡＭ７４、ＨＤＤ５２及びＣＰＵ７０内のレジスタ等の、命令によって指定されるアドレスに格納される。
【００２２】
ＢＵＳライン７６には、更に、ＨＤＤ５２、消去部５３、操作部５４、画像読取部５６、画像処理部５８、画像形成部６０、ＵＳＢ  Ｉ／Ｆ６２、ＦＡＸモデム６４及びＬＡＮ  Ｉ／Ｆ６６が電気的に接続される。
【００２３】
ＨＤＤ５２は、磁気記憶媒体を備え、後述する画像メモリ８８から入力される画像データを含む各種データを記憶する記憶領域を提供する。またＨＤＤ５２には、登録情報データベース（以下、「登録情報ＤＢ」と記す。）、広告情報データベース（以下、「広告情報ＤＢ」と記す。）、認証情報データベース（以下、「認証情報ＤＢ」と記す。）が予め記憶される。登録情報ＤＢには、予めメーカによって、広告データ付の画像データの送信が許可される装置として選ばれた、すなわちメーカによって提供された電子ペーパ２４の識別ＩＤ（Ｉｄｅｎｔｉｆｉｃａｔｉｏｎ  Ｎｕｍｂｅｒ）及び各識別ＩＤに対応する固有データが記憶されている。この固有データには、各識別ＩＤに対応する、電子ペーパ２４の商品名、認証ＩＤを付加するか否かを示すデータ、広告データを付加するか否かを示すデータ及び暗号化処理を行なうか否かを示すデータが含まれている。本実施の形態においては、固有データには、各電子ペーパ２４の識別ＩＤに対応して、電子ペーパ２４の商品名と、認証ＩＤを付加することを示すデータと、広告データを付加することを示すデータと、暗号化処理を行なうことを示すデータとが含まれるように、予めメーカによって設定されている。ここで、識別ＩＤとは、各電子ペーパ２４を特定するために各電子ペーパ２４に対して個別に設定されるＩＤのことである。広告情報ＤＢには、広告主であるメーカが作成した広告データが記憶されている。認証情報ＤＢには、各電子ペーパ２４に対応する認証ＩＤが記憶されている。ここで、認証ＩＤとは、各電子ペーパ２４が固有に有するＩＤのことである。
【００２４】
消去部５３は、ＭＰＵ（Ｍｉｃｒｏ  Ｐｒｏｃｅｓｓｉｎｇ  Ｕｎｉｔ）を含み、機器制御部５０等からの指示に応じて、ＨＤＤ５２に記憶される画像データ等の各種データを消去する。
【００２５】
操作部５４は、各種入力キー等を備えるタッチパネルを含む入力部７８と、液晶ディスプレイ（Ｌｉｑｕｉｄ  Ｃｒｙｓｔａｌ  Ｄｉｓｐｌａｙ、以下「ＬＣＤ」と記す。）等の表示部８０とを重ねた操作パネルからなる。操作部５４によれば、表示部８０に操作キーの画像を表示し、入力部７８上のユーザがタッチした操作キーの位置の座標を知ることにより、デジタル複合機２２の動作及び各種設定に対するユーザの指示を理解する。そして、表示部８０にユーザの指示内容等のユーザに通知すべき情報を表示するとともに、その指示に応じた制御信号を機器制御部５０に出力することで、ユーザの入力操作に応じた処理を実現できる。また、表示部８０に表示される画面を適宜切替えることで、多くの種類の操作キーの画像を表示できるので、有限な面積の操作パネルを用いて多くの処理に対するユーザの入力操作を実現できる。
【００２６】
画像読取部５６は、原稿検知センサ８２及びＣＣＤ（Ｃｈａｒｇｅ−Ｃｏｕｐｌｅｄ  Ｄｅｖｉｃｅ）ラインセンサ８４を含む光学系を備える。原稿検知センサ８２は、ユーザによって手動で、又は自動原稿搬送装置（図示せず。ＡＤＦ（Ａｕｔｏｍａｔｉｃ  Ｄｏｃｕｍｅｎｔ  Ｆｅｅｄｅｒ））によって、原稿載置台（図示せず）上に載置された原稿の画像表面に光源（図示せず）から光を照射することによって得られる反射光像をＣＣＤラインセンサ８４上に結像させる。ＣＣＤラインセンサ８４は、結像された反射光像を順次光電変換して、画像データとして画像メモリ８８に出力する。画像読取部５６によれば、原稿のコピー時又はスキャン時に、原稿載置台に載置される原稿から原稿検知センサ８２によって画像情報を読取り、読取った画像情報をＣＣＤラインセンサ８４によって電気信号に変換して画像データとして画像メモリ８８に出力する。
【００２７】
画像処理部５８は、ＭＰＵを含み、画像読取部５６又は外部装置から画像メモリ８８に入力された画像データに対して、例えば、γ（ガンマ）補正処理及びフィルタ処理等の所定の画像処理、並びに圧縮処理又は伸張処理等の各種処理を専用メモリである第２ＲＡＭ８６を使用して実現し、これらの処理が施された画像データを一旦画像メモリ８８にページ単位で出力した後、ＨＤＤ５２に記憶させる。
【００２８】
画像形成部６０は、画像メモリ８８、印字部９０及び暗号化復号化部９２を備える。画像メモリ８８は、ＲＡＭを含み、画像データをページ単位で一時的に記憶する。画像メモリ８８によれば、機器制御部５０等からの指示に応じて、印字部９０に送信するための画像データをＨＤＤ５２からページ単位で順次読出して一時的に記憶し、記憶した画像データを印字部９０による画像形成に同期して、印字部９０に対して出力する。このように、ＨＤＤ５２が複数の画像データを記憶し、画像メモリ８８がこれらの画像データをページ単位で順次処理していくことによって、印字部９０に送信するための画像データが複数ある場合においても、画像形成動作を効率よく迅速に行なうことができる。
【００２９】
印字部９０は、感光体、帯電装置、レーザ走査ユニット（Ｌａｓｅｒ  Ｓｃａｎｎｉｎｇ  Ｕｎｉｔ：ＬＳＵ）、現像装置、転写ユニット、クリーニング装置、定着装置（以上いずれも図示せず。）を含む。また、印字部９０は更に、デジタル複合機２２に着脱自在に装着される、手差し給紙トレイ、第１給紙トレイ及び第２給紙トレイ（以上いずれも図示せず。）を含む。これらの給紙トレイは、この順で上下に並ぶように設置され、記録用紙を保持し、用紙搬送部（図示せず。）に記録用紙を送給する。手差し給紙トレイは、ユーザが手動により所望の記録用紙を設置するためのトレイであり、第１給紙トレイ及び第２給紙トレイは、異なる大きさの記録用紙を保持するトレイである。印字部９０は、機器制御部５０等からの指示に応じて、上記給紙トレイのいずれかから用紙搬送部を介して搬送される記録用紙上に、画像メモリ８８から送信される画像データに基づいて画像を形成する。
【００３０】
暗号化復号化部９２は、ＭＰＵを含み、予め定められる暗号化アルゴリズム又は復号化アルゴリズムに従って画像メモリ８８に入力された画像データに対して暗号化処理又は復号化処理を行なう。暗号化復号化部９２による暗号化処理又は復号化処理は、ストリーム暗号方式を利用することが好ましい。これにより、暗号化処理又は復号化処理をより高速に行うことができるようになるので、画像データの送信をより高速に行うことができる。
【００３１】
ＵＳＢ  Ｉ／Ｆ６２は、ＵＳＢポートを備えるＨｏｔ  Ｐｌｕｇ対応のインターフェースであって、デジタル複合機２２の稼動中にＵＳＢケーブルを介して電気的に接続される電子ペーパ２４等の外部装置を自動認識する。電子ペーパ２４に表示させるための画像データは、このＵＳＢ  Ｉ／Ｆ６２を介して電子ペーパ２４に送信される。
【００３２】
デジタル複合機２２は、ＦＡＸモデム６４を介して電話回線網２６に接続されており、電話回線網２６に接続されるＦＡＸ３２とファクシミリ通信が可能である。またデジタル複合機２２は、ＬＡＮ  Ｉ／Ｆ６６を介してＬＡＮ回線からなるネットワーク２８に接続されており、ネットワーク２８上に接続されるＦＡＸ３４とファクシミリ通信が可能であり、更に端末装置３６，３８，４０とのデータ通信が可能である。
【００３３】
本実施の形態において、ＲＯＭ７２には、情報表示システム２０全体を制御し、動作させるためのファームウェアプログラムが記憶されている。このファームウェアプログラムにおける、情報表示システム２０を実現するためのプログラム構造については後述する。
【００３４】
デジタル複合機２２は、上述した各構成部を動作させることによって、操作部５４からのユーザの入力操作による指示又は外部装置等からの指示に応じて、原稿画像を読取り記録用紙に印刷するコピーモード、外部装置等から送信される画像データを受信して記録用紙に印刷するプリンタモード、原稿画像を読取り外部装置等に送信するスキャナモード、及びＦＡＸ３２，３４とファクシミリ通信を行なうＦＡＸモード等の各種のモードのいずれかを実行する。
【００３５】
［電子ペーパ２４］
図３は、電子ペーパ２４の構成を示すブロック図である。図３を参照して、電子ペーパ２４は、可撓性を有する矩形のシート状部材であって、全体制御部１００、表示コントロール部１０４、表示部１０６、復号化部１０８、画像データ記憶部１１０及びＵＳＢ  Ｉ／Ｆ１１２を含む。
【００３６】
全体制御部１００は、実質的にコンピュータであって、ＣＰＵ１２２、ＲＯＭ１２４及びＲＡＭ１２６を含む。ＣＰＵ１２２には、ＢＵＳライン１２８が接続されており、このＢＵＳライン１２８には、ＲＯＭ１２４及びＲＡＭ１２６が電気的に接続される。ＣＰＵ１２２は、外部装置等からの指示に応じて各種コンピュータプログラムを実行することによって、電子ペーパ２４の各構成部の動作及びデジタル複合機２２等の外部機器との通信等の所望の処理を実行する。上記の各種コンピュータプログラムは、あらかじめＲＯＭ１２４に記憶されており、所望の処理の実行時において、当該ＲＯＭ１２４から読出されてＲＡＭ１２６に転送される。ＣＰＵ１２２は、ＣＰＵ１２２内の図示しないプログラムカウンタと呼ばれるレジスタに格納された値によって指定される、ＲＡＭ１２６内のアドレスからプログラムの命令を読出し、解釈する。ＣＰＵ１２２はまた、読出された命令によって指定されるアドレスから演算に必要なデータを読出し、そのデータに対し命令に対応する演算を実行する。実行の結果も、ＲＡＭ１２６及びＣＰＵ１２２内のレジスタ等の、命令によって指定されるアドレスに格納される。
【００３７】
またＲＯＭ１２４には、電子ペーパ２４の自己の識別ＩＤ及び電子ペーパ２４が固有に有する認証ＩＤを含む各種データが記憶される。
【００３８】
ＢＵＳライン１２８には、更に、表示コントロール部１０４、画像データ記憶部１１０及びＵＳＢ  Ｉ／Ｆ１１２が電気的に接続される。
【００３９】
表示コントロール部１０４は、全体制御部１００により実現され、表示部１０６を駆動し、画像データ記憶部１１０に記憶される画像データ又はユーザインタフェースとしての表示データの画像を表示部１０６に表示させる。表示部１０６は、矩形のシート状部材である電子ペーパ２４の中央部に形成され、例えば、ツイスティングボールディスプレイ、電気泳動ディスプレイ、電解析出・溶解式ディスプレイ又は有機ＥＬディスプレイ等からなるディスプレイである。表示部１０６は、表示コントロール部１０４と電気的に接続される。
【００４０】
復号化部１０８は、予め定められる復号化アルゴリズムに従って、デジタル複合機２２等の外部装置から送信される全ての画像データを復号化処理し、復号化処理が施された画像データを画像データ記憶部１１０に記憶させる。上記復号化アルゴリズムは、デジタル複合機２２の暗号化復号化部９２において使用される暗号化アルゴリズムに対応するアルゴリズムである。復号化部１０８による復号化処理は、ストリーム暗号方式を利用することが好ましい。これにより、復号化処理をより高速に行うことができる。
【００４１】
画像データ記憶部１１０は、ＲＡＭを含み、復号化部１０８による復号化処理済みの画像データを記憶する。画像データ記憶部１１０は、全体制御部１００又は表示コントロール部１０４等から送信されるＲ／Ｗ（Ｒｅａｄ／Ｗｒｉｔｅ）信号に応答して、画像データの読出し又は書込みを行なう。
【００４２】
ＵＳＢ  Ｉ／Ｆ１１２は、ＵＳＢ端子を備えるＨｏｔ  Ｐｌｕｇ対応のインターフェースであって、電子ペーパ２４の稼動中にＵＳＢケーブルを介して電気的に接続されるデジタル複合機２２等の外部装置を自動認識する。デジタル複合機２２から送信される画像データは、このＵＳＢ  Ｉ／Ｆ１１２を介して受信される。
【００４３】
全体制御部１００のＣＰＵ１２２、表示コントロール部１０４及び復号化部１０８等の電子ペーパ２４の各構成部には電源（図示せず）が接続され、この電源から電圧を印加されることで、電子ペーパ２４の各動作を実現する。
【００４４】
本実施の形態において、全体制御部１００のＲＯＭ１２４には、情報表示システム２０全体を制御し、動作させるためのファームウェアプログラムが記憶されている。このファームウェアプログラムにおける、情報表示システム２０を実現するためのプログラム構造については後述する。
【００４５】
〈ソフトウェア構成〉
［デジタル複合機２２］
図４は、デジタル複合機２２における情報表示システム２０を実現するためのプログラム構造をフローチャート形式で示す図である。上述したように、デジタル複合機２２のＲＯＭ７２に記憶されるファームウェアプログラムは、情報表示システム２０全体を制御し、動作させるようにプログラミングされている。このプログラムは、機器制御部５０を実質的に構成するＣＰＵ７０を含むコンピュータが、上記ファームウェアプログラムに従ってデジタル複合機２２及び電子ペーパ２４の動作を制御することによって、ハードウェアとファームウェアプログラムとの協働により実現するデータ付加機能及び判定機能等によって実行される。なお、前記データ付加機能とは、画像データに対して認証ＩＤ及び広告データを付加する機能であり、前記判定機能とは、電子ペーパ２４から送信される識別ＩＤを受信したか否か及び一致する識別ＩＤがあるか否か等の後述する各判定を行なう機能である。
【００４６】
図４を参照して、デジタル複合機２２において情報表示システム２０を実現するためのプログラムは、ユーザ等によってＵＳＢケーブルを介して電子ペーパ２４と接続されることによって起動される。
【００４７】
このプログラムは、ＵＳＢ  Ｉ／Ｆ６２を監視し、ＵＳＢ  Ｉ／Ｆ６２が、接続された電子ペーパ２４から送信される自己の識別ＩＤを受信したか否かを判定し、判定結果に応じて制御の流れを分岐させるステップＳ１００を含む。ステップＳ１００において、識別ＩＤを受信していないと判定された場合（ＮＯの場合）には、受信したと判定されるまで、ステップＳ１００が繰返される。
【００４８】
このプログラムは更に、ステップＳ１００において、識別ＩＤを受信したと判定された場合（ＹＥＳの場合）に実行され、受信した電子ペーパ２４の識別ＩＤと、ＨＤＤ５２に記憶される登録情報ＤＢに含まれる各電子ペーパの識別ＩＤとを比較して、一致する識別ＩＤがあるか否かを判定し、判定結果に応じて制御の流れを分岐させるステップＳ１０１を含む。
【００４９】
このプログラムは更に、ステップＳ１０１において、一致する識別ＩＤがあると判定された場合（ＹＥＳの場合）に実行され、操作部５４の表示部８０に、一致した識別ＩＤに対応する電子ペーパ２４の商品名、確認情報、及び「確認」と表示されるボタン（以下、「確認ボタン」と記す。）を表示させるステップＳ１０２と、確認ボタンに対するユーザの入力操作を監視して、送信先設定指示がなされたか否かを判定し、判定結果に応じて制御の流れを分岐させるステップＳ１０３とを含む。ステップＳ１０３において送信先設定指示がなされていないと判定された場合（ＮＯの場合）には、送信先設定指示がなされたと判定されるまで、ステップＳ１０３が繰返される。
【００５０】
ここで、確認情報とは、認証ＩＤを付加するか否か、広告データを付加するか否か、暗号化処理を行なうか否かを示す情報であって、ユーザの確認を必要とする情報のことである。本実施の形態においては、認証ＩＤ及び広告データを付加し、更に暗号化処理も行なうので、例えば「画像データに認証ＩＤ及び広告データを付加し、画像データの暗号化を行なう」等のメッセージが表示される。
【００５１】
このプログラムは更に、ステップＳ１０１において、一致する識別ＩＤがないと判定された場合（ＮＯの場合）、又は、ステップＳ１０３において、送信先設定指示がなされたと判定された場合（ＹＥＳの場合）、すなわち確認ボタンからのユーザによる入力操作が確認できた場合に実行され、画像データの送信先を接続された電子ペーパ２４に設定するとともに、操作部５４の表示部８０に「スタート」と表示されるボタン（以下、「スタートボタン」と記す。）を表示させるステップＳ１０４と、スタートボタンに対するユーザの入力操作を監視して、画像データ送信指示がなされたか否かを判定し、判定結果に応じて制御の流れを分岐させるステップＳ１０５とを含む。ステップＳ１０５において画像データ送信指示がなされていないと判定された場合（ＮＯの場合）には、画像データ送信指示がなされたと判定されるまで、ステップＳ１０５が繰返される。
【００５２】
このプログラムは更に、ステップＳ１０５において、画像データ送信指示がなされたと判定された場合（ＹＥＳの場合）、すなわちスタートボタンからのユーザによる入力操作が確認できた場合に実行され、後述する画像データ送信処理を実行するステップＳ１０６と、ＵＳＢ  Ｉ／Ｆ６２を監視し、ＵＳＢ  Ｉ／Ｆ６２が、接続された電子ペーパ２４から送信される認証不可通知信号を画像データの送信が完了するまでに受信したか否かを判定し、判定結果に応じて制御の流れを分岐させるステップＳ１０７とを含む。ステップＳ１０７において認証不可通知信号を画像データの送信が完了するまでに受信していないと判定された場合（ＮＯの場合）には、本プログラムは終了する。
【００５３】
このプログラムは更に、ステップＳ１０７において、認証不可通知信号を画像データの送信が完了するまでに受信したと判定された場合（ＹＥＳの場合）に実行され、操作部５４の表示部８０に、例えば「認証ＩＤが確認できませんでした。」又は「認証に失敗しました。」等の認証不可である旨を示す認証不可表示を行なうとともに、認証不可通知信号及びこの信号を受信した時間を示す時間情報をＨＤＤ５２に記憶させるステップＳ１０８を含む。
【００５４】
図５は、図４に示すステップＳ１０７で行われる画像データ送信処理のより詳細なフローチャートである。図５を参照して、この画像データ送信処理を実現するプログラムは、画像読取部５６において原稿から画像データを読取り、更に画像処理部５８によって画像データに所定の画像処理を施した後、作成した画像データをＨＤＤ５２に記憶させるステップＳ２００と、電子ペーパ２４の識別ＩＤを受信したか否かの判定結果、及び、受信した場合には受信した識別ＩＤに対応する固有データに基づいて認証ＩＤを付加するか否かを判定し、判定結果に応じて制御の流れを分岐させるステップＳ２０１とを含む。
【００５５】
このプログラムは更に、ステップＳ２０１において、認証ＩＤを付加すると判定された場合（ＹＥＳの場合）、すなわち電子ペーパ２４の識別ＩＤを受信し、かつ受信した識別ＩＤに対応する固有データに認証ＩＤを付加することを示すデータが含まれていた場合に実行され、ＨＤＤ５２に記憶された所望の画像データを読出すとともに、認証情報ＤＢに含まれる、接続された電子ペーパ２４に固有の認証ＩＤを読出して、画像データのヘッダ部に認証ＩＤを付加するステップＳ２０２と、受信した電子ペーパ２４の識別ＩＤを受信したか否かの判定結果、及び、受信した場合には受信した識別ＩＤに対応する固有データに基づいて広告データを付加するか否かを判定し、判定結果に応じて制御の流れを分岐させるステップＳ２０３とを含む。ステップＳ２０３は、ステップＳ２０１において、認証ＩＤを付加しないと判定された場合（ＮＯの場合）、すなわち電子ペーパ２４の識別ＩＤを受信していないと判定された場合、又は、電子ペーパ２４の識別ＩＤを受信し、かつ受信した識別ＩＤに対応する固有データに認証ＩＤを付加しないことを示すデータが含まれていた場合においても実行される。
【００５６】
このプログラムは更に、ステップＳ２０３において、広告データを付加すると判定された場合（ＹＥＳの場合）、すなわち電子ペーパ２４の識別ＩＤを受信し、かつ受信した識別ＩＤに対応する固有データに広告データを付加することを示すデータが含まれていた場合に実行され、広告情報ＤＢに含まれる所望の広告データを読出して、ステップＳ２０２において認証データが付加された画像データに対して広告データを付加する、もしくは、ＨＤＤ５２に記憶された所望の画像データを読出して広告データを付加するステップＳ２０４と、電子ペーパ２４の識別ＩＤを受信したか否かの判定結果、及び、受信した場合には受信した識別ＩＤに対応する固有データに基づいて画像データの暗号化処理を行なうか否かを判定し、判定結果に応じて制御の流れを分岐させるステップＳ２０５とを含む。ステップＳ２０５は、ステップＳ２０３において、広告データを付加しないと判定された場合（ＮＯの場合）、すなわち電子ペーパ２４の識別ＩＤを受信していないと判定された場合、又は、電子ペーパ２４の識別ＩＤを受信し、かつ受信した識別ＩＤに対応する固有データに広告データを付加しないことを示すデータが含まれていた場合においても実行される。なお、ステップＳ２０４において、付加される広告データ及び広告データの結合位置は、デジタル複合機２２によって自動的に選択される。
【００５７】
このプログラムは更に、ステップＳ２０５において、暗号化処理を行なうと判定された場合（ＹＥＳの場合）、すなわち電子ペーパ２４の識別ＩＤを受信し、かつ受信した識別ＩＤに対応する固有データに暗号化処理を行なうことを示すデータが含まれていた場合に実行され、暗号化復号化部９２において、ＨＤＤ５２に記憶された所望の画像データ、又は少なくとも認証ＩＤの付加又は広告データの付加のうちのいずれかの処理がなされた画像データを画像メモリ８８に読出して暗号化するステップＳ２０６と、送信先に設定された電子ペーパ２４に対して、ステップＳ２００からステップＳ２０６を経た画像データを送信するステップＳ２０７とを含む。ステップＳ２０７は、ステップＳ２０５において、暗号化処理を行なわないと判定された場合（ＮＯの場合）、すなわち電子ペーパ２４の識別ＩＤを受信していないと判定された場合、又は、電子ペーパ２４の識別ＩＤを受信し、かつ受信した識別ＩＤに対応する固有データに暗号化処理を行なわないことを示すデータが含まれていた場合においても実行される。
【００５８】
［電子ペーパ２４］
図６は、電子ペーパ２４における情報表示システム２０を実現するためのプログラム構造をフローチャート形式で示す図である。上述したように、電子ペーパ２４のＲＯＭ１２４に記憶されるファームウェアプログラムは、情報表示システム２０全体を制御し、動作させるようにプログラミングされている。このプログラムは、全体制御部１００を実質的に構成するＣＰＵ１２２を含むコンピュータが、上記ファームウェアプログラムに従ってデジタル複合機２２及び電子ペーパ２４の動作を制御することによって、ハードウェアとファームウェアプログラムとの協働により実現する判定機能及び禁止機能等によって実行される。なお、前記判定機能とは、復号化処理済みの画像データに付加されている認証ＩＤに基づいて画像データが適正であるか否かを判定する等の後述する各判定を行なう機能であり、前記禁止機能とは、適正であると判定された画像データ以外の画像データの記憶処理を禁止させて消去させる機能である。
【００５９】
図６を参照して、電子ペーパ２４において情報表示システム２０を実行するためのプログラムは、ユーザ等によって電子ペーパ２４の電源が投入されることによって起動される。
【００６０】
このプログラムは、ＵＳＢ  Ｉ／Ｆ１１２を監視し、ＵＳＢ  Ｉ／Ｆ１１２を介してデジタル複合機２２が接続されたか否かを判定し、判定結果に応じて制御の流れを分岐させるステップＳ３００を含む。ステップＳ３００において、デジタル複合機２２が接続されていないと判定された場合（ＮＯの場合）には、接続されたと判定されるまで、ステップＳ３００が繰返される。
【００６１】
このプログラムは更に、ステップＳ３００において、デジタル複合機２２が接続されたと判定された場合（ＹＥＳの場合）に実行され、ＲＯＭ１２４から自己の識別ＩＤを読出し、読出した識別ＩＤをＵＳＢ  Ｉ／Ｆ１１２を介して接続されたデジタル複合機２２に対して送信するステップＳ３０１と、ＵＳＢ  Ｉ／Ｆ１１２を監視し、ＵＳＢ  Ｉ／Ｆ１１２が、接続されたデジタル複合機２２から送信される画像データを受信したか否かを判定し、判定結果に応じて制御の流れを分岐させるステップＳ３０２とを含む。ステップＳ３０２において、画像データを受信していないと判定された場合（ＮＯの場合）には、受信したと判定されるまで、ステップＳ３０２が繰返される。
【００６２】
このプログラムは更に、ステップＳ３０２において、画像データを受信したと判定された場合（ＹＥＳの場合）に実行され、受信した画像データの復号化処理を行なうステップＳ３０３と、復号化処理済みの画像データのヘッダ部から認証ＩＤを抽出して認証ＩＤの有無を判定し、判定結果に応じて制御の流れを分岐させるステップＳ３０４とを含む。
【００６３】
このプログラムは更に、ステップＳ３０４において、認証ＩＤがあると判定された場合（ＹＥＳの場合）に実行され、抽出した認証ＩＤと、ＲＯＭ１２４に記憶される電子ペーパ２４に固有の認証ＩＤとを比較して、両者が一致するか否かを判定し、判定結果に応じて制御の流れを分岐させるステップＳ３０５と、ステップＳ３０５において、認証ＩＤが一致すると判定された、すなわち画像データが適正であると判定された場合（ＹＥＳの場合）に実行され、復号化処理済みの画像データ及び画像データに付加されている広告データを画像データ記憶部１１０に記憶させるステップＳ３０６と、画像データ記憶部１１０に記憶させた画像データ及び広告データの画像を電子ペーパ２４の表示部１０６に表示させるステップＳ３０７とを含む。
【００６４】
このプログラムは更に、ステップＳ３０４において認証ＩＤがないと判定された場合（ＮＯの場合）、又はステップＳ３０５において認証ＩＤが一致しないと判定された場合（ＮＯの場合）に実行され、認証不可である旨を通知する認証不可通知信号を接続されたデジタル複合機２２に送信するとともに、復号化処理済みの画像データ、すなわち適正であると判定された画像データ以外の画像データを画像データ記憶部１１０に記憶させずに消去させるステップＳ３０８と、電子ペーパ２４の表示部１０６に、例えば「認証ＩＤが確認できませんでした。」又は「認証に失敗しました。」等の認証不可である旨を示す認証不可表示を行なうステップＳ３０９とを含む。
【００６５】
〈動作〉
本実施の形態に係るデジタル複合機２２及び電子ペーパ２４は、以下のようにして動作する。例えば、ユーザ等によってまず電子ペーパ２４の電源が投入されると、電子ペーパ２４の全体制御部１００のＣＰＵ１２２はＵＳＢ  Ｉ／Ｆ１１２の監視を開始する。ユーザ等によってデジタル複合機２２の電源が投入され、電子ペーパ２４の表示部１０６に表示させるための原稿が画像読取部５６の原稿載置台に載置され、更にデジタル複合機２２と電子ペーパ２４とがＵＳＢケーブルを介して接続されると、デジタル複合機２２の機器制御部５０のＣＰＵ７０は、ＵＳＢ  Ｉ／Ｆ６２の監視を開始する。
【００６６】
電子ペーパ２４のＣＰＵ１２２は、ＵＳＢ  Ｉ／Ｆ１１２を介してデジタル複合機２２が電子ペーパ２４に接続されたと判定すると、ＲＯＭ１２４から自己の識別ＩＤを読出し、読出した識別ＩＤをデジタル複合機２２に対して送信する。
【００６７】
デジタル複合機２２のＣＰＵ７０は、ＵＳＢ  Ｉ／Ｆ６２が、接続された電子ペーパ２４から送信される識別ＩＤを受信したと判定すると、受信した識別ＩＤと、ＨＤＤ５２に記憶される登録情報ＤＢに含まれる各電子ペーパの識別ＩＤとを比較して、一致する識別ＩＤがあるか否かを判定する。一致する識別ＩＤがないと判定された場合には、画像データの送信先を接続された電子ペーパ２４に設定し、操作部５４の表示部８０にスタートボタンを表示させる。
【００６８】
一致する識別ＩＤがあると判定された場合には、ＣＰＵ７０は、操作部５４の表示部８０に、一致した識別ＩＤに対応する電子ペーパ２４の商品名、確認情報及び確認ボタンを表示させ、確認ボタンに対するユーザの入力操作を監視して、送信先設定指示がなされたか否かを判定する。本実施の形態においては、確認情報として「画像データに認証ＩＤ及び広告データを付加し、画像データの暗号化を行なう」というメッセージが表示される。ユーザは、表示部８０における表示内容を確認し、問題がなければ確認ボタンからの入力操作を実施する。これによって、ＣＰＵ７０は、送信先設定指示がなされたと判定し、画像データの送信先を接続された電子ペーパ２４に設定し、操作部５４の表示部８０にスタートボタンを表示させる。
【００６９】
ユーザは、スキャンする画像の濃度、色補正、γ補正、拡大縮小及び回転等の各種設定を操作部５４に対する入力操作によって行ない、これらの設定が終了した後、スタートボタンからの入力操作を実施する。これによって、ＣＰＵ７０は、画像データ送信指示がなされたと判定し、以下の画像データ送信処理を開始する。
【００７０】
図７は、本実施の形態における画像データ送信処理を説明するための図である。図７を参照して、本実施の形態における画像データ送信処理において、まずＣＰＵ７０は、画像読取部５６において原稿から画像データを読取り、更に画像処理部５８によって画像データに所定の画像処理を施した後、作成した画像データ１３０をＨＤＤ５２に記憶させる。そして、電子ペーパ２４の識別ＩＤを受信したか否かの判定結果、及び、受信した場合には受信した識別ＩＤに対応する固有データに基づいて、認証ＩＤを付加するか否か、広告データを付加するか否か、画像データの暗号化処理を行なうか否かをこの順に判定し、各判定毎に各判定結果に応じた処理を実施する。本実施の形態においては、認証ＩＤ及び広告データを付加し、更に暗号化処理も行なうようにメーカによって予め設定されているので、ＣＰＵ７０は、まずＨＤＤ５２に記憶された所望の画像データ１３０と、認証情報ＤＢに含まれる電子ペーパ２４に固有の認証ＩＤ１３２とを読出して、画像データ１３０のヘッダ部に認証ＩＤ１３２を付加する。次いで、広告情報ＤＢに含まれる所望の広告データ１３４を読出して、認証ＩＤ１３２が付加された画像データに対して広告データ１３４を付加する。このとき、付加される広告データ１３４及び広告データ１３４の結合位置は、画像データのサイズ又は容量等に応じてデジタル複合機２２によって自動的に選択される。広告データの結合位置としては、画像データの左右上下部分に形成される余白部分等がある。その後、暗号化復号化部９２において認証ＩＤ１３２及び広告データ１３４が付加された画像データ１３０を暗号化し、この暗号化された画像データを送信先に設定された電子ペーパ２４に対して送信する。
【００７１】
図８は、画像データ受信後の電子ペーパ２４の動作を説明するための図である。図８を参照して、電子ペーパ２４のＣＰＵ１２２は、画像データを受信すると、受信した画像データの復号化処理を行なう。このとき、画像データの受信と復号化処理は並行して行われる。復号化処理済みの画像データのヘッダ部から認証ＩＤを抽出して認証ＩＤの有無を判定し、認証ＩＤがあると判定した場合には、抽出した認証ＩＤと、ＲＯＭ１２４に記憶される電子ペーパ２４に固有の認証ＩＤとを比較して、両者が一致するか否かを更に判定する。認証ＩＤが一致すると判定した場合、すなわち画像データが適正であると判定した場合には、復号化処理済みの画像データ及び画像データに付加されている広告データを画像データ記憶部１１０に記憶させ、画像データ記憶部１１０に記憶させた画像データ及び広告データの画像を電子ペーパ２４の表示部１０６に表示させる。
【００７２】
一方、ＣＰＵ１２２は、認証ＩＤがないと判定した場合、又は認証ＩＤが一致しないと判定した場合には、認証不可通知信号をデジタル複合機２２に対して送信し、復号化処理済みの画像データ、すなわち適正であると判定された画像データ以外の画像データを画像データ記憶部１１０に記憶させずに消去させる。その後、電子ペーパ２４の表示部１０６に、例えば「認証ＩＤが確認できませんでした。」又は「認証に失敗しました。」等の認証不可である旨を示す認証不可表示を行なう。
【００７３】
デジタル複合機２２のＣＰＵ７０は、電子ペーパ２４から送信される認証不可通知信号を画像データの送信が完了するまでに受信すると、操作部５４の表示部８０に、例えば「認証ＩＤが確認できませんでした。」又は「認証に失敗しました。」等の認証不可である旨を示す認証不可表示を行なうとともに、認証不可通知信号及びこの信号を受信した時間を示す時間情報をＨＤＤ５２に記憶させる。
【００７４】
なお、電子ペーパ２４からデジタル複合機２２に対して画像データを送信する場合には、画像データの暗号化処理又は復号化処理はなされない。これは、ＣＰＵ１２２により適正であると判定された画像データ以外の画像データの記憶処理を禁止させて消去させているため、適正でない画像データが外部装置に送信される危険性が少ないためである。したがって、電子ペーパ２４及びデジタル複合機２２における画像データに対する処理を減らすことができ、全体として処理の効率化を図ることができる。
【００７５】
［変形例］
図９は、電子ペーパ２４の構成の変形例を示すブロック図である。図９を参照して、電子ペーパ２４は、表示ユニット１４２と復号化ユニット１４４とを含む。表示ユニット１４２は、可撓性を有する矩形のシート状部材であって、全体制御部１００、表示コントロール部１０４、表示部１０６、画像データ記憶部１１０、ＵＳＢ  Ｉ／Ｆ１１２及び内部Ｉ／Ｆ１４６を含む。すなわち、表示ユニット１４２は、復号化部１０８を有しない点及び内部Ｉ／Ｆ１４６を有する点以外は、電子ペーパ２４と同一の構成である。また、復号化ユニット１４４は、ＵＳＢ  Ｉ／Ｆ１１２、復号化部１０８及び内部Ｉ／Ｆ１５０を含み、これらはそれぞれこの順に電気的に接続されている。表示ユニット１４２及び復号化ユニット１４４において、電子ペーパ２４と同一の機能を有する構成部には同じ参照符号及び名称を付し、それらについての詳細な説明は繰返さない。
【００７６】
表示ユニット１４２及び復号化ユニット１４４は、内部Ｉ／Ｆ１４６及び内部Ｉ／Ｆ１５０を介して、例えばケーブル等によって電気的に接続可能である。電子ペーパ１４０は、表示ユニット１４２と復号化ユニット１４４とは接続された状態でメーカから提供される。
【００７７】
この電子ペーパ２４により、本実施の形態における情報表示システム２０を実現させる場合には、表示ユニット１４２と復号化ユニット１４４とは接続された状態であり、更にデジタル複合機２２は、復号化ユニット１４４のＵＳＢ  Ｉ／Ｆ１１２に接続されて使用される。
【００７８】
このように、電子ペーパ２４を、一般に市販されている電子ペーパと類似の構成を有する表示ユニット１４２と、復号化ユニット１４４とに分けて構成することによって、本実施の形態の情報表示システム２０を実現可能な電子ペーパ２４をより簡単に製造できるようになる。
【００７９】
〈効果・作用〉
本実施の形態によれば、電子ペーパ２４と、電子ペーパ２４に接続されるデジタル複合機２２とを含む情報表示システム２０において、デジタル複合機２２は、電子ペーパ２４に表示させるための画像データを、電子ペーパ２４に対して送信するＵＳＢ  Ｉ／Ｆ６２と、画像データに広告データを付加して広告データ付の画像データを作成するデータ付加機能を実現するＣＰＵ７０と、広告データ付の画像データを、予め定められる暗号化アルゴリズムに基づいて暗号化処理する暗号化復号化部９２とを備える。また、電子ペーパ２４は、デジタル複合機２２から送信される画像データを受信するＵＳＢ  Ｉ／Ｆ１１２と、受信した全ての画像データを、暗号化アルゴリズムに対応する復号化アルゴリズムに基づいて復号化処理する復号化部１０８と、復号化処理済みの画像データの画像を表示する表示部１０６とを備える。
【００８０】
このように、電子ペーパ２４は、受信した全ての画像データに対して復号化処理を行なうので、復号化部１０８によって使用される復号化アルゴリズムに対応する暗号化アルゴリズムによる暗号化処理（以下、「正しい暗号化処理」と記す。）がなされていない画像データは破壊されてしまう。これに対し、予め正しい暗号化処理がなされた画像データは表示部１０６に表示される。これにより、ユーザが表示部１０６に所望の画像を表示させる際には、正しい暗号化処理を行なうことのできるデジタル複合機２２を使用する必要があり、このようなデジタル複合機２２は、予め広告データ付の画像データを暗号化処理するように設定されているので、必ず所望の画像とともに広告情報を表示させることができる。
【００８１】
また上記実施の形態では、デジタル複合機２２は、電子ペーパ２４に対応する認証ＩＤを予め記憶するＨＤＤ５２と、暗号化処理がなされる前の画像データに認証ＩＤを付加するデータ付加機能を実現するＣＰＵ７０とを備え、電子ペーパ２４は、復号化処理済みの画像データに付加されている認証ＩＤに基づいて、画像データが適正であるか否かを判定する機能を実現するＣＰＵ１２２を備える。そして、表示部１０６は、ＣＰＵ１２２よって、適正であると判定された復号化処理済みの画像データの画像を表示する。これにより、適正であると判定された画像データのみが表示されるようになるので、正しい暗号化処理を行なうことができても、正しい認証ＩＤを付加することができないデジタル複合機２２から送信される画像データの画像が誤って表示されてしまうことを防止できる。したがって、ユーザが電子ペーパ２４に所望の画像を表示させる際には、正しい暗号化処理を行なうことができ、かつ正しい認証ＩＤを付加することのできるデジタル複合機２２を使用する必要があり、より確実に所望の画像とともに広告情報を表示させることができる。
【００８２】
更に上記実施の形態では、ＣＰＵ１２２は、復号化処理済みの画像データに付加されている認証ＩＤと、電子ペーパ２４が固有に有する認証ＩＤとが一致する場合に、復号化処理済みの画像データが適正であると判定する。これにより、復号化処理済みの画像データに付加されている認証ＩＤと一致する認証ＩＤを有している電子ペーパ２４のみが画像データの画像を表示できるようになるので、一致する認証ＩＤを有しない他の電子ペーパが所望の画像を誤って表示してしまうことを防ぐことができる。したがって、ユーザにとって秘匿性のある情報が第三者に漏洩してしまうことを防止できる。
【００８３】
なお、上記実施の形態では、デジタル複合機２２の機器制御部５０を実質的に構成するＣＰＵ７０が実現するデータ付加機能によって、画像データに対して認証ＩＤ及び広告データを付加している。しかし、本発明はそのような実施の形態には限定されず、例えば、認証ＩＤ及び広告データとともに、日時情報及びページ番号情報を含むシリアル番号を更に付加してもよい。ここで、日時情報とは、画像データが作成されたときの日付及び時刻を示す情報のことであり、ページ番号情報とは、画像データの画像の表示順序を示す情報である。この場合、シリアル番号は、認証ＩＤとともに認証情報ＤＢに記憶されている。図１０は、シリアル番号が付加された際の画像データの構造を説明するための図である。図１０を参照して、画像データに対して、認証ＩＤ及び広告データとともにシリアル番号を付加する際には、ＣＰＵ７０は、まずＨＤＤ５２に記憶された所望の画像データ１３０、認証情報ＤＢに含まれる電子ペーパ２４に固有の認証ＩＤ１３２及びシリアル番号１３６を読出して、画像データ１３０のヘッダ部に認証ＩＤ１３２及びシリアル番号１３６を付加する。次いで、広告情報ＤＢに含まれる所望の広告データ１３４を読出して、認証ＩＤ１３２及びシリアル番号１３６が付加された画像データに対して広告データ１３４を付加する。その後、暗号化復号化部９２において認証ＩＤ１３２、シリアル番号１３６及び広告データ１３４が付加された画像データ１３０を暗号化し、この暗号化された画像データを送信先に設定された電子ペーパ２４に対して送信する。このように、画像データにシリアル番号が更に付加されることによって、画像データを効率的に管理できるようになるので、より正確に画像データの表示を行なうことができるようになる。
【００８４】
また上記実施の形態では、デジタル複合機２２の暗号化復号化部９２は、予め定められる暗号化アルゴリズムに基づいて画像データの暗号化処理を行っているが、この際に暗号化処理を行なうとともにハッシュ値を画像データに付加してもよい。ここで、ハッシュ値とは、ハッシュ関数によって演算して得られる値であり、このハッシュ関数とは、ドキュメント及び数字などの文字列の羅列を一定長のデータに要約する関数のことである。このように、画像データが暗号化処理され、更にハッシュ値が付加されることによって、電子ペーパ２４は、受信した画像データに付加されるハッシュ値を確認することで画像データが送信途中で改ざんされていないかを確認することができる。したがって、悪意ある者によって改ざんされた可能性のある画像データが表示部１０６に表示される、又は、電子ペーパ２４外部に復号化されて出力されることを防ぐことができる。
【００８５】
更に上記実施の形態では、電子ペーパ２４の全体制御部１００を実質的に構成するＣＰＵ１２２が実現する禁止機能によって、判定機能により適正であると判定された画像データ以外の画像データの記憶処理を禁止させて消去させている。しかし、本発明はそのような実施の形態には限定されず、例えば禁止機能によって、適正であると判定された画像データ以外の画像データに対する他の処理、例えば画像処理又は暗号化処理等の処理を禁止してもよい。なお、この場合、電子ペーパ２４は、画像データに画像処理を施すための画像処理部（図示せず。）又は予め定められる暗号化アルゴリズムによって暗号化処理を施す暗号化部（図示せず。）等の画像データに処理を施すための構成が更に設けられる。
【００８６】
このように、ＣＰＵ１２２が禁止機能を実現することによって、表示部１０６に表示されない画像データに対して、記憶処理、画像処理又は暗号化処理等の画像データに対する各処理が施されることを防ぐことができるので、これらの処理にかかる電力が無駄に消費されたり、無駄な構成が設けられたりすることを防止できる。
【００８７】
更に上記実施の形態で使用したネットワーク２８のＬＡＮ回線としては、有線によるものだけでなく、無線によるものを使用してもよい。この場合は、ネットワーク２８と接続するためのＩ／Ｆとして、ＬＡＮ  Ｉ／Ｆ６６，１１４の代わりに各種無線Ｉ／Ｆが使用される。
【００８８】
更に、上記実施の形態で使用したデジタル複合機２２の操作部５４の入力部７８には、デジタル複合機２２のユーザの認証情報を入力する認証情報入力部（図示せず。）が設けられてもよい。この認証情報入力部に対するユーザの認証情報の入力方法としては、例えば、利用者コードの直接入力、ＩＤ（Ｉｄｅｎｔｉｆｉｃａｔｉｏｎ）カードの情報読取入力、ユーザの指紋等の生体情報読取入力等がある。これらのうちいずれかの入力方法による認証情報入力部が設けられることによって、デジタル複合機２２の利用者認証を行なうことができるようになり、デジタル複合機２２の不正使用を防止することができる。更に、処理途中のジョブを中断して別のジョブを割込ませるための割込み指示を行なうための割込指示入力ボタン等が入力部７８に設けられてもよい。
【００８９】
更に上記実施の形態で使用したＵＳＢ  Ｉ／Ｆ６２，１１２は、Ｈｏｔ  Ｐｌｕｇ対応のインターフェースであるが、本発明はそのような実施の形態には限定されず、例えばＨｏｔ  Ｐｌｕｇ非対応のインターフェースであってもよい。この場合には、ＵＳＢケーブルを介して電気的に接続される外部装置を認識するための構成が、デジタル複合機２２及び電子ペーパ２４に対して追加される。
【００９０】
更に上記実施の形態では、画像データに付加される広告データ１３４及び広告データ１３４の結合位置はデジタル複合機２２によって自動的に選択されるが、本発明はそのような実施の形態には限定されず、例えば操作部５４からのユーザの入力操作によって選択されてもよい。
【００９１】
更に上記実施の形態では、電子ペーパ２４は、予めメーカによって、認証ＩＤ及び広告データを付加し、更に暗号化処理も行なうように設定されている。しかし、例えばユーザがメーカに対して使用料を支払うことによって、これらの設定を変更することも可能である。またこのとき、本実施の形態の変形例である電子ペーパ２４を使用する際には、必要に応じて表示ユニット１４２と復号化ユニット１４４とを非接続の状態にしてもよい。
【００９２】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【図面の簡単な説明】
【００９３】
【図１】本発明の一実施の形態に係る情報表示システムの構成を模式的に示す図である。
【図２】デジタル複合機の構成を示すブロック図である。
【図３】電子ペーパの構成を示すブロック図である。
【図４】デジタル複合機における情報表示システムを実現するためのプログラム構造をフローチャート形式で示す図である。
【図５】図４に示すステップＳ１０７で行われる画像データ送信処理のより詳細なフローチャートである。
【図６】電子ペーパにおける情報表示システムを実現するためのプログラム構造をフローチャート形式で示す図である。
【図７】本実施の形態における画像データ送信処理を説明するための図である。
【図８】画像データ受信後の電子ペーパの動作を説明するための図である。
【図９】電子ペーパの構成の変形例を示すブロック図である。
【図１０】シリアル番号が付加された際の画像データの構造を説明するための図である。
【符号の説明】
【００９４】
２０  情報表示システム
２２  デジタル複合機
２４  電子ペーパ
２６  電話回線網
２８  ネットワーク
３０  インターネット
３２，３４  ＦＡＸ
３６，３８，４０  端末装置
５０  機器制御部
５２  ＨＤＤ
５３  消去部
５４  操作部
５６  画像読取部
５８  画像処理部
６０  画像形成部
６２，１１２  ＵＳＢ  Ｉ／Ｆ
６４  ＦＡＸモデム
６６  ＬＡＮ  Ｉ／Ｆ
７０，１２２  ＣＰＵ
７１  管理部
７２，１２４  ＲＯＭ
７４  第１ＲＡＭ
７６，１２８  ＢＵＳライン
７８  入力部
８０  表示部
８２  原稿検知センサ
８４  ＣＣＤラインセンサ
８６  第２ＲＡＭ
８８  画像メモリ
９０  印字部
９２  暗号化復号化部
１００  全体制御部
１０４  表示コントロール部
１０６  表示部
１０８  復号化部
１１０  画像データ記憶部
１２６  ＲＡＭ
１３０  画像データ
１３２  認証ＩＤ
１３４  広告データ
１３６  シリアル番号
１４２  表示ユニット
１４４  復号化ユニット
１４６，１５０  内部Ｉ／Ｆ
【図１】
2009222776.tif 000003
【図２】
2009222776.tif 000004
【図３】
2009222776.tif 000005
【図４】
2009222776.tif 000006
【図５】
2009222776.tif 000007
【図６】
2009222776.tif 000008
【図７】
2009222776.tif 000009
【図８】
2009222776.tif 000010
【図９】
2009222776.tif 000011
【図１０】
2009222776.tif 000012